(57)【要約】【課題】  簡易な構成により装置本体の薄型化を保持して表示パネルの表示面の角度を調整自在とする。【解決手段】  装置本体部２とスタンド部３との突き合わせ部位に、装置本体部２の回動領域の略全域に亘って嵌合状態を保持されて組み合わされる多数個の挟込み防止凸片１８と挟込み防止ガイド溝１９とを相対して形成し、装置本体部２の回動位置にかかわらず装置本体部２とスタンド部５との突き合わせ部位において空間部を構成しないようにして信号ケーブル等の挟み込みを防止する。【選択図】  図２
2006106643.tif 000002
【特許請求の範囲】
【請求項１】
表示パネルを備える装置本体部がスタンド部に対して、上記表示パネルの表示面の角度を垂直面に対して調整自在とする角度調整機構を介して回動自在に組み合わされてなるパネル型表示装置において、
上記装置本体部又は上記スタンド部のいずれか一方側に、相手側との相対する突き合わせ部位に位置して一体に形成され、それぞれ上記装置本体部の回動方向と平行でかつ互いに所定の間隔を以って突出された多数個の凸壁からなる挟込み防止凸片と、
上記装置本体部又は上記スタンド部の他方側に、相手側との相対する突き合わせ部位に位置し、それぞれ上記装置本体部の回動方向と平行で上記各挟込み防止凸片に対してその対向間隔と等しい間隔を有しかつその厚みよりも広幅とされて形成されてスライド自在に嵌合させる多数個の挟込み防止ガイド溝とを備え、
相対する上記各挟込み防止凸片と上記各挟込み防止ガイド溝とが、上記装置本体部と上記スタンド部との突き合わせ部位において上記装置本体部の回動領域の略全域に亘って嵌合状態を保持されることによって挟込み防止機構を構成することを特徴とするパネル型表示装置。
【発明の詳細な説明】
【技術分野】
【０００１】
本発明は、液晶パネル等の表示パネルを備えたパネル型表示装置に関し、さらに詳しくは表示パネルを備えた装置本体部がスタンド部に対して表示パネルの表示面を垂直面に対する角度を調整自在とする角度調整機構を介して上下方向に首振り自在に組み合わされてなるパネル型表示装置に関する。
【背景技術】
【０００２】
パネル型表示装置は、例えば液晶ディスプレィパネル（LCD:Liquid Crystal Display Panel）やプラズマディスプレィパネル（PDP:Plasma Display Panel）等の軽量で薄型の表示パネルを備えており、テレビジョン受像機やパーソナルコンピュータシステムのモニタ等に用いられている。パネル型表示装置は、陰極線管（CRT:Cathode-Ray Tube）と比較して軽量かつ薄型であり大型の表示画面化が図られる。
【０００３】
パネル型表示装置は、例えば画面サイズが２０インチ以下の中小型機の場合に、もっぱらパーソナルユースとして用いられることが多く、装置本体部をスタンド部によって支持して載置台等に設置して用いられる卓上型として構成される。パネル型表示装置は、画面の表示画像を良好な状態で見られるようにするために、使用者が装置本体部をスタンド部に対して任意の角度に調整可能とする角度調整機構を備えるものが多い。
【０００４】
図７及び図８に示したパネル型表示装置１００は、筐体１０２の内部に表示パネルユニット１０３を組み合わせた装置本体部１０１が、その背面側の底面部をスタンド部１０４に支持されて構成されている。パネル型表示装置１００には、装置本体部１０１とスタンド部１０４との結合部位に、表示パネルユニット１０３の表示面１０３ａの角度を調整自在とする角度調整機構１０５が設けられている。パネル型表示装置１００は、載置台や机上等に載置して用いる場合に、角度調整機構１０５を介して装置本体部１０１をスタンド部１０４に対して上下方向に動かして表示面１０３ａを見易い角度に調整操作される。
【０００５】
パネル型表示装置１００は、筐体１０２の底面から背面に跨って凹陥部１０６が形成されており、この凹陥部１０６内において角度調整機構１０５を介してスタンド部１０４が装置本体部１０１と組み合わされる。筐体１０２には、凹陥部１０６の相対する両側部位に、表面から段落ちされて取付段部１０７ａ、１０７ｂが形成されている。角度調整機構１０５は、これら取付段部１０７ａ、１０７ｂに固定される軸受けブラケット部材１０８と、スタンド部１０４側に組み付けられた軸受け部材１０９と、支軸１１０等の部材によって構成される。
【０００６】
軸受けブラケット部材１０８は、取付段部１０７ａ、１０７ｂにそれぞれ固定される一対のフランジ片部間を凹陥部１０６に嵌合される嵌合部で連結した断面略コ字状を呈している。軸受けブラケット部材１０８には、フランジ片部からそれぞれ折曲された嵌合部の各立上り部位１１１ａ、１１１ｂに、互いに軸線を一致させて軸孔１１２ａ、１１２ｂが形成されている。
【０００７】
軸受け部材１０９は、全体筒状の基部の上端に、スタンド部１０４の上端から軸受けブラケット部材１０８の立上り部位１１１ａ、１１１ｂとほぼ等しい対向間隔を以って突出する一対の軸受け片部１１３ａ、１１３ｂが形成されている。軸受け部材１０９には、これら軸受け片部１１３ａ、１１３ｂに、互いに軸線を一致させて軸孔１１４ａ、１１４ｂが形成されている。
【０００８】
パネル型表示装置１００は、筐体１０２に対してスタンド部１０４が、軸受けブラケット部材１０８の軸孔１１２ａ、１１２ｂと軸受け部材１０９の軸孔１１４ａ、１１４ｂとをそれぞれ対向するように位置合わせして組み合わされる。パネル型表示装置１００は、互いに連通された軸受けブラケット部材１０８の軸孔１１２ａ、１１２ｂと軸受け部材１０９の軸孔１１４ａ、１１４ｂとを貫通して支軸１１０を組み付けて角度調整機構１０５を構成する。角度調整機構１０５は、軸受けブラケット部材１０８を支軸１１０を支点として軸受け部材１０９に対して揺動自在に支持することにより、スタンド部１０４に対して筐体１０２を上下方向に回動させて表示面１０３ａの角度を調整操作させる。
【０００９】
なお、パネル型表示装置１００は、角度調整機構１０５に図示しないがフリクション機構やクリック機構等が付設されており、適宜の角度に回動操作した筐体１０２がその位置で安定した状態に保持されるようにする。また、パネル型表示装置１００は、スタンド部１０４に、軸受けブラケット部材１０８の軸受け片部１１３を覆うようにして図示しないカバー部材が組み合わされる。
【発明の開示】
【発明が解決しようとする課題】
【００１０】
ところで、パネル型表示装置１００は、例えばパーソナルコンピュータのモニタとして用いられる場合に、机上に設置されて信号ケーブルと電源コードとによりコンピュータ本体と接続される。机上には、コンピュータ本体とキーボードやマウス等の周辺機器とを接続する各種の信号ケーブル等も這わされる。
【００１１】
パネル型表示装置１００においては、装置本体部１０１がスタンド部１０４に対して上下方向に所定角度の範囲で回動操作されるようにするために、図８に示すように相対する凹陥部１０６の内周壁とスタンド部１０４の外周部との間に回動量に対応して逃げとなるガイド空間部１１５を構成する必要がある。パネル型表示装置１００においては、同図に示すように、このガイド空間部１１５内に狭い机上に這わされた信号ケーブル１１６等が入り込んでしまうことがある。パネル型表示装置１００においては、この状態で不用意に角度調整操作を行うことにより、信号ケーブル１１６を装置本体部１０１とスタンド部１０４との間に挟み込んでしまうことがある。パネル型表示装置１００においては、これによって信号ケーブル１１６に断線を生じさせることがあった。
【００１２】
パネル型表示装置１００においては、上述した信号ケーブル１１６等の挟み込みが、例えば装置本体部１０１とスタンド部１０４との間に充分なスペースを確保することによって防止することが可能である。しかしながら、パネル型表示装置１００は、このために装置本体部１０１の厚みが大きくなってしまい、薄型化の基本コンセプトが実現できないといった問題がある。パネル型表示装置１００は、装置本体部１０１を薄型に保持したままで充分なスペースを有するガイド空間部１１５を構成した場合に、角度調整機構１０５の機械的強度が確保し得ないといった問題が生じる。
【００１３】
また、パネル型表示装置１００においては、例えば装置本体部１０１と連動するシャッタ部材を有するシャッタ機構を設けることにより、装置本体部１０１の回動操作にかかわらずシャッタ部材がガイド空間部１１５を常時閉塞することによって信号ケーブル１１６等の挟み込みを防止することが可能となる。しかしながら、パネル型表示装置１００は、部品点数や組立工程も増えてコストアップとなり、また角度調整操作の都度シャッタ部材が装置本体部１０１やスタンド部１０４を摺擦することで磨耗による製品寿命の劣化といった問題を生じさせる。
【００１４】
したがって、本発明は、簡易な構成により装置本体部の薄型化を保持して表示パネルの表示面の角度を調整自在とするパネル型表示装置を提供することを目的に提案されたものである。
【課題を解決するための手段】
【００１５】
上述した目的を達成する本発明にかかるパネル型表示装置は、表示パネルを備える装置本体部がスタンド部に対して角度調整機構を介して上下方向に揺動自在に組み合わされ、表示パネルの表示面の角度を垂直面に対して調整自在とする。パネル型表示装置は、装置本体部又はスタンド部のいずれか一方側、例えば装置本体部のスタンド部との相対する突き合わせ部位に位置して、それぞれ装置本体部の回動方向と平行でかつ互いに所定の間隔を以って突出された多数個の凸壁からなる挟込み防止凸片が一体に形成される。パネル型表示装置は、スタンド部の装置本体部との相対する突き合わせ部位に位置して、それぞれ装置本体部の回動方向と平行で各挟込み防止凸片に対してその対向間隔と等しい間隔を有しかつその厚みよりも広幅とされて形成されてスライド自在に嵌合させる多数個の挟込み防止ガイド溝が形成される。
【００１６】
パネル型表示装置においては、装置本体部とスタンド部との突き合わせ部位において、相対する各挟込み防止凸片と各挟込み防止ガイド溝とが装置本体部の回動領域の略全域に亘って嵌合状態を保持されて組み合わされる。パネル型表示装置においては、各挟込み防止凸片と各挟込み防止ガイド溝との組み合わせ構造により、装置本体部の回動位置にかかわらず装置本体部とスタンド部との突き合わせ部位に空間部が構成されないようにする。パネル型表示装置においては、各挟込み防止凸片と各挟込み防止ガイド溝とが挟込み防止機構を構成し、装置本体部を回動して表示パネルの表示面の角度を調整操作等を行った場合でも、装置本体部とスタンド部との突き合わせ部位で信号ケーブル等の挟み込みの発生が防止されるようにする。
【発明の効果】
【００１７】
本発明にかかるパネル型表示装置によれば、装置本体部とスタンド部との突き合わせ部位に、装置本体部の回動位置にかかわらず嵌合状態が保持される挟込み防止凸片と挟込み防止ガイド溝とを形成した簡易な構造によって挟込み防止機構を構成する。パネル型表示装置によれば、装置本体部をスタンド部に対して信号ケーブル等が挟み込まれることが無い大きなスペースを確保するに足る大きな厚みとしたり、シャッタ機構等を設けるといった対応を不要とすることで、装置本体部の薄型化が保持されかつ部品点数や組立工程を増加させることが無く、安全性の向上が図られる。
【発明を実施するための最良の形態】
【００１８】
以下、本発明の実施の形態として図面に示したパネル型表示装置１について詳細に説明する。パネル型表示装置１は、図１に示すように筐体３の内部に表示パネルユニット４を組み込んだ装置本体部２がその背面側の底面部をスタンド部５によって支持された卓上型のパネル型表示装置である。パネル型表示装置１は、表示パネルユニット４として液晶パネルが用いられて薄型化と軽量化とを図ったテレビジョン受像機或いはモニタである。なお、パネル型表示装置１は、表示パネルユニット４として液晶表示パネルに限定されず、例えばプラズマ・ディスプレィ・パネル等の他の薄型表示パネルが用いられるようにしてもよい。
【００１９】
パネル型表示装置１は、詳細を後述するように装置本体部２とスタンド部５との結合部位に表示パネルユニット４の表示面４ａの角度を調整自在とする角度調整機構６が設けられている。パネル型表示装置１は、載置台や机上等に載置して用いる場合に、使用者が角度調整機構６を介して装置本体部２をスタンド部５に対して回動操作して表示パネルユニット４の表示面４ａを見易い最適な角度に調整することが可能である。パネル型表示装置１は、かかる基本的な構成を上述した従来のパネル型表示装置１００と同様とする。
【００２０】
また、パネル型表示装置１には、角度調整機構６を介して装置本体部２の角度調整操作が行われる際に、机上等に這った信号ケーブル等を装置本体部２とスタンド部５との間に挟み込むことを防止する挟込み防止機構７が備えられている。挟込み防止機構７は、詳細を後述するように装置本体部２とスタンド部５とに形成された部位によって構成され、部品点数や組立工数を増やすことは無い。
【００２１】
装置本体部２には、図２乃至図４に示すように、筐体３の背面部で、長さ方向の中央部位に位置して背面から底面に跨って開口する凹陥部８が形成されている。パネル型表示装置１は、この凹陥部８内において角度調整機構６を介して装置本体部２とスタンド部５との組み合わせが行われる。パネル型表示装置１は、角度調整機構６が、装置本体部２側の上述した凹陥部８及びこの凹陥部８に組み付けられた詳細を後述する軸受けブラケット部材９と、スタンド部５側の詳細を後述するスタンド部材１０及びこのスタンド部材１０に組み付けられた軸受け部材１１等によって構成される。
【００２２】
凹陥部８は、詳細には、図２及び図４に示すように、両側部位において表面からやや段落ちされた高さを有して底面から隆起された取付段部１２ａ、１２ｂを有する横長矩形のブラケット取付凹部１３と、このブラケット取付凹部１３の底面側に連設されて円弧状の受け面が形成されたスタンド受け凹部１４と、ブラケット取付凹部１３から上方に向かって連設され詳細を省略する角度調整機構６を被覆して凹陥部８に組み合わされるカバー部材１６を位置決めして組み付けるカバー取付凹部１５とから構成された逆Ｔ字状を呈して筐体３に形成されている。
【００２３】
ブラケット取付凹部１３には、後述する軸受けブラケット部材９が取り付けられる。ブラケット取付凹部１３には、軸受けブラケット部材９を取り付けるために、底面に取付孔１３ａが形成されている。このブラケット取付凹部１３内に形成された一方の取付段部１２ａには、軸受けブラケット部材９を取り付けるための高さ方向の長孔からなる一対の取付孔１２ａ１、１２ａ２と位置決め孔１２ａ３とが形成されている。また、取付段部１２ａには、側方に位置して位置決め凸部１２ａ４、１２ａ５がそれぞれ形成されている。他方の取付段部１２ｂにも、同様にして高さ方向の長孔からなる一対の取付孔１２ｂ１、１２ｂ２と位置決め孔１２ｂ３とが形成されている。なお、取付段部１２ｂ側にも、図示しないが側方に位置して同様に位置決め凸部が形成されている。
【００２４】
スタンド受け凹部１４は、ブラケット取付凹部１３の底面よりもさらに段落ちされた矩形凹部からなり、上述したように底面が円弧状の凹面に形成されている。スタンド受け凹部１４は、装置本体部２が表示パネルユニット４の表示面４ａを最大の前下がり角度で回動操作された状態で、スタンド部５の詳細を後述するスタンド部材１０の外周面に突き当る。したがって、スタンド受け凹部１４は、装置本体部２のストッパ部として作用する。
【００２５】
各挟込み防止凸片１８は、図２及び図４に示すように、スタンド受け凹部１４のブラケット嵌合凹部１３と対向する部位に、長さ方向に並んで一体に突設されている。各挟込み防止凸片１８は、スタンド受け凹部１４の底面からそれぞれ一体に突出形成され、互いに所定の対向間隔を以って平行に対峙する凸壁によって構成される。各挟込み防止凸片１８は、後述するようにスタンド５に対して回動操作されことによりスタンド部材１０と接離する装置本体部２の回動方向と平行な櫛歯状に形成された凸壁によって構成される。各挟込み防止凸片１８は、角度調整操作が行われてスタンド受け凹部１４がスタンド部材１０と突き当たる最大前下り角度から最大仰角角度までの間を回動操作される装置本体部２の回動領域とほぼ等しい高さを有してスタンド受け凹部１４に形成されている。
【００２６】
軸受けブラケット部材９は、充分な機械的強度を有する金属板等によって形成され、ブラケット取付凹部１３とほぼ等しい外形を有する嵌合部２０と、この嵌合部２０の両側に軸受け段部１２ａ、１２ｂとほぼ等しい高さを以って折曲形成された立上り部２１ａ、２１ｂと、これら立上り部２１ａ、２１ｂから嵌合部２０と平行に折曲された一対のフランジ部２２ａ、２２ｂとから構成された断面略コ字状を呈している。軸受けブラケット部材９には、嵌合部２０にブラケット取付凹部１３の取付孔１３ａと対向して取付孔２０ａが形成されている。
【００２７】
軸受けブラケット部材９には、立上り部２１ａ、２１ｂに、互いに軸線を一致させて後述する支軸２３を支架する支軸孔２１ａ１、２１ｂ１が形成されている。軸受けブラケット部材９には、一方のフランジ部２２ａに相対する軸受け段部１２ａの取付孔１２ａ１、１２ａ２と対向して取付孔２２ａ１、２２ａ２が形成されるとともに、他方のフランジ部２２ｂに相対する軸受け段部１２ｂの取付孔１２ｂ１、１２ｂ２と対向して取付孔２２ｂ１、２２ｂ２が形成されている。
【００２８】
以上のように構成された軸受けブラケット部材９は、装置本体部２の凹陥部８に取り付けられて、充分な機械的強度を有して装置本体部２をスタンド部５に回動自在に支持する取付部材を構成する。軸受けブラケット部材９は、嵌合部２０がブラケット取付凹部１３に嵌合されるとともに、フランジ部２２ａ、２２ｂがそれぞれ相対する取付段部１２ａ、１２ｂ上に当てがわれて凹陥部８に組み合わされる。軸受けブラケット部材９は、相対する部位に形成した各取付孔に止めねじがねじ込まれることによって、凹陥部８にしっかりと固定される。
【００２９】
スタンド部５は、スタンド部材１０及び軸受け部材１１と、スタンド部材１０に組み付けられたスタンドプレート２４等によって構成される。スタンド部材１０は、図３及び図５に示すように、装置本体部２を安定した状態で支持する全体略扇型を呈する台座部２５と、この台座部２５の上面の略中央部に一体に立ち上がり形成され内部に高さ方向の組付孔２６ａが全長に亘って形成された支持筒部２６とから構成される。
【００３０】
台座部２５は、図３に示すように外周壁に囲まれた底面が開放されて形成されており、この開放された底面を閉塞するようにして内部にスタンドプレート２４が組み付けられている。台座部２５には、支持筒部２６の形成部位に、組付孔２６ａを貫通させる開口部２５ａが形成されている。なお、台座部２５は、扇型に限定されないが、装置本体部２を安定した状態で支持する受け面積を有して形成される。
【００３１】
支持筒部２６は、図５に示すように装置本体部２の長手方向を長軸とした断面が楕円形状を有して台座部２５に一体に立設されている。支持筒部２６は、前面側の外周部２６ａが、上述したようにスタンド部５に対して装置本体部２を最大前下り角度に回動操作した状態においてスタンド受け凹部１４が突き当てられる。支持筒部２６には、この外周部２６ａに上述した各挟込み防止凸片１８とそれぞれ対向して形成されることにより挟込み防止機構７を構成する多数個の挟込み防止ガイド溝１９が形成されている。
【００３２】
各挟込み防止ガイド溝１９は、それぞれが支持筒部２６のスタンド受け凹部１４と対向する外周部に、櫛歯状の短冊片を切り残して上縁に開口する高さ方向のスリット状溝として形成される。各挟込み防止ガイド溝１９は、それぞれが相対する挟込み防止凸片１８の厚みよりもやや大きな溝幅を有するとともに、各挟込み防止凸片１８と同一間隔を以って互いに平行に形成される。
【００３３】
各挟込み防止ガイド溝１９には、スタンド部５に対して装置本体部２が組み合わされた状態で、挟込み防止凸片１８がそれぞれスライド自在に嵌合される。各挟込み防止ガイド溝１９は、各挟込み防止凸片１８が上述した形状を有することにより、これら各挟込み防止凸片１８をスタンド部５に対して回動操作される装置本体部２の回動領域の略全域に亘り嵌合状態が保持されるようにする。したがって、各挟込み防止ガイド溝１９は、各挟込み防止凸片１８との組み合わせ構造により、装置本体部２の回動位置にかかわらずこの装置本体部２とスタンド部５との間に信号ケーブルを挟み込んでしまう間隙が構成されないようにして挟込み防止機構７をする。
【００３４】
スタンドプレート２４は、台座部２５とほぼ同形とされるとともに所定の重量を有する金属板によって形成され、スタンド部５が転倒することなく装置本体部２を安定した状態で支持する重り部材として作用する。スタンドプレート２４には、略中央部にやや膨出して嵌合部２４ａが形成されており、この嵌合部２４ａが台座部２５に設けられた開口部２５ａと嵌合される。スタンドプレート２４は、嵌合部２４ａに対して、下端部位を台座部２５内に位置させてスタンド部材１０の支持筒部２６内に組み付けられた軸受け部材１１が取り付けられる。したがって、スタンドプレート２４は、軸受け部材１１の取付部材としても作用する。
【００３５】
軸受け部材１１は、充分な機械的強度を有する金属材によって、図２及び図３に示すように筒状基体部２７と、この筒状基体部２７の下端部に一体に形成された取付部２８と、筒状基体部２７の上端部に一体に形成された一対の軸受け部２９ａ、２９ｂとから構成される。軸受け部材１１は、その外径筒状基体部２７がスタンド部材１０の支持筒部２６の内径よりもやや小径とされ、台座部２５の底面側から支持筒部２６の組付孔２６ａ内に挿通される。
【００３６】
軸受け部材１１は、取付部２８がスタンドプレート２４の嵌合部２４ａに対してねじ止め固定されて、支持筒部２６の組付孔２６ａ内に組み付けられる。軸受け部材１１は、この状態で上端部に形成された軸受け部２９ａ、２９ｂが、図２に示すように組付孔２６ａ内においてその長さ方向に対向して支持筒部２６の上縁から突出する。軸受け部２９ａ、２９ｂは、上述した筐体３側の立上り部２１ａ、２１ｂの対向間隔とほぼ等しい間隔を以って筒状基体部２７に一体に形成されている。軸受け部２９ａ、２９ｂには、軸線を一致させて高さ方向の長孔からなる軸孔３０ａ、３０ｂが形成されている。
【００３７】
軸受け部材１１は、軸受けブラケット部材９に対して、軸受け部２９ａ、２９ｂを立上り部２１ａ、２１ｂと対向させてそれぞれ組み合わされる。軸受け部材１１は、一方の軸孔３０ａを立上り部２１ａ側の軸孔２１ａ１と位置合わせさせるとともに他方の軸孔３０ｂが立上り部２１ｂ側の軸孔２１ｂ１と位置合わせされる。軸受け部材１１は、軸線を一致されたこれら軸孔に支軸２３が支架されることにより、この支軸２３を介して軸受けブラケット部材９と組み合わされる。
【００３８】
パネル型表示装置１は、軸受けブラケット部材９と軸受け部材１１とが支軸２３を介して組み合わされることにより、スタンド部５に対して装置本体部２が回動自在に組み合わされて角度調整機構６を構成する。パネル型表示装置１は、角度調整機構６に図示しないが周知のフリクション機構やクリック機構が付設されており、スタンド部５に対して装置本体部２を強く回動操作することによって回動した任意の位置で装置本体部２が保持されるようになる。パネル型表示装置１においては、これによって表示パネルユニット４の表示面４ａが任意の角度に調整される。
【００３９】
パネル型表示装置１においては、表示パネルユニット４の表示面４ａを最大前下り角度とするように装置本体部２を回動操作させた際に、突き合わせ部位となる装置本体部２のスタンド受け凹部１４とスタンド部５の支持筒部２６の外周部とに、相対嵌合される多数個の挟込み防止凸片１８と挟込み防止ガイド溝１９とからなる挟込み防止機構７が設けられる。したがって、パネル型表示装置１においては、装置本体部２の回動操作を行った場合でも、この装置本体部２とスタンド部３との間で信号ケーブル等の挟み込みが発生することが防止される。
【００４０】
なお、パネル型表示装置１においては、表示パネルユニット４の表示面４ａを最大仰角の角度となるように装置本体部２を回動操作させた場合に、背面側において装置本体部２とスタンド部５との接近箇所が生じる。パネル型表示装置１においては、図３に示すように角度調整機構６を設けた凹陥部８が背面側を開放された構造であることから、装置本体部２の回動操作を行った場合でもこの装置本体部２とスタンド部３との間で信号ケーブル等の挟み込みを生じることは無い。パネル型表示装置１においては、凹陥部８にかかる開放構造を採用しない場合には、背面側にも同様の挟込み防止機構を設ければよい。
【００４１】
パネル型表示装置１においては、上述した装置本体部２とスタンド部３とを組み立てた後に、筐体３の凹陥部８を覆うようにしてカバー部材１６が組み付けられる。カバー部材１６は、詳細を省略するが略凸字状を呈して形成された凹陥部８と略同形に形成されており、角度調整機構６を被覆してパネル型表示装置１の外観を保持する。
【００４２】
パネル型表示装置１においては、角度調整機構６によって表示パネルユニット４の表示面４ａを任意の角度に設定可能とすることで使い勝手の向上が図られるようになる。パネル型表示装置１においては、角度調整機構６によって装置本体部２を回動操作した場合でも上述した挟込み防止機構７によって机上に這った信号ケーブル等の挟み込みを防止して断線等の発生を防止する。なお、パネル型表示装置１においては、使用者が筐体３の奥にまで指先をあてがって装置本体部２を回動操作した場合でも、指先が角度調整機構６に内に入り込まないようにする。パネル型表示装置１においては、装置本体部２の薄型化を保持して挟込み防止機構７が構成され、部品点数や組立工程を増加させるシャッタ機構等を設けるといった対応を不要とする。
【００４３】
上述したパネル型表示装置１においては、装置本体部２の筐体３側に多数個の挟込み防止凸片１８を形成するとともにスタンド部５のスタンド部材１０側に挟込み防止ガイド溝１９を形成するようにしたが、筐体３側に挟込み防止ガイド溝１９を形成するとともにスタンド部材１０側に挟込み防止凸片１８を形成するようにしてもよいことは勿論である。各防止ガイド溝１９は、スタンド受け凹部１４に、背面から底面に跨ってスリット状に開口される。
【００４４】
挟込み防止凸片１８は、上述したようにスタンド受け凹部１４に長さ方向に並んで互いに所定の対向間隔を以って平行に対峙する凸壁によって構成したが、かかる形状に限定されるものでは無い。パネル型表示装置１においては、挟込み防止凸片１８が、図６に示すようにスタンド受け凹部１４に長さ方向に並んで互いに所定の対向間隔を以って平行に対峙して形成された多数個の軸状凸部によって構成するようにしてもよい。かかる軸状凸部は、それぞれ角度調整操作が行われてスタンド受け凹部１４がスタンド部材１０と突き当たる最大前下り角度から最大仰角角度までの間を回動操作される装置本体部２の回動領域とほぼ等しい高さを有してスタンド受け凹部１４に形成される。
【００４５】
パネル型表示装置１においては、かかる軸状凸部によって挟込み防止凸片１８を構成する場合に、スタンド部材１０側にこれら軸状凸部がそれぞれスライド自在に嵌合する多数個の挟込み防止ガイド孔を形成する。勿論、パネル型表示装置１においては、筐体３側に挟込み防止ガイド孔を形成するとともにスタンド部材１０側に軸状凸部を形成するようにしてもよい。
【００４６】
なお、パネル型表示装置１においては、上述した角度調整機構６に限定されず、他の適宜の構造によって角度調整機構６を構成するようにしてもよいことは勿論である。パネル型表示装置１においては、装置本体部２とスタンド部５との突き合わせ部位に、装置本体部２の回動位置にかかわらず嵌合状態が保持される多数個の挟込み防止凸片１８と挟込み防止ガイド溝１９とによって挟込み防止機構７を構成すればよい。
【図面の簡単な説明】
【００４７】
【図１】実施の形態として示すパネル型表示装置の正面斜視図である。
【図２】同パネル型表示装置の要部背面分解斜視図である。
【図３】同パネル型表示装置の要部縦断面図である。
【図４】装置本体の要部背面斜視図である。
【図５】スタンド部材の斜視図である。
【図６】他の実施の形態として示す装置本体の要部背面斜視図である。
【図７】従来のパネル型表示装置の要部背面分解斜視図である。
【図８】同パネル型表示装置の要部縦断面図である。
【符号の説明】
【００４８】
１  パネル型表示装置、２  装置本体部、３  筐体、４  表示パネルユニット、５  スタンド部、６  角度調整機構、７  挟み込み防止機構、８  凹陥部、９  軸受けブラケット部材、１０  スタンド部材、１１  軸受け部材、１２  取付段部、１３  ブラケット取付凹部、１４  スタンド受け凹部、１５  カバー取付凹部、１６  カバー部材、１８  挟込み防止凸片、１９  挟込み防止ガイド溝、２０  嵌合部、２１  立上り部、２２  フランジ部、２３  支軸、２４  スタンドプレート、２５  台座部、２６  支持筒部、２７  筒状基体部、２８  取付部、２９  軸受け部、３０  軸孔
【図１】
2006106643.tif 000003
【図２】
2006106643.tif 000004
【図３】
2006106643.tif 000005
【図４】
2006106643.tif 000006
【図５】
2006106643.tif 000007
【図６】
2006106643.tif 000008
【図７】
2006106643.tif 000009
【図８】
2006106643.tif 000010